(57)【特許請求の範囲】
【請求項１】
アナターゼ型酸化チタン、活性炭、粘土、有機バインダーおよび水の混練物を成形、乾燥して形成した平板状の固結体に、板厚方向の通気穴を分散して設けたフィルター本体と、通気窓付きの２枚の側板の間に、通気性のクッション材を介在させて挟んで保持してなり、ファンヒータの吸気口に嵌着された脱臭フィルターを具備し、
前記ファンヒータは、前面の下部に横長の吹出口が設けられて背面の中間部に前記吸気口が形成されたケーシングと、該ケーシング内の中間部に設けられたバーナと、該バーナの下方に横置きに設定された横長の遠心式ファンと、前記吸気口に取り付けられた空気清浄枠とを備え、
前記空気清浄枠には、該空気清浄枠の全面を覆うメッシュフィルターと、前記空気清浄枠の下側部の略２／３の面を覆う静電式集塵機とを有し、前記脱臭フィルターは前記空気清浄枠の下側部の略１／３の面を覆うことを特徴とする脱臭フィルター付きファンヒータ。
【請求項２】
アナターゼ型酸化チタン、活性炭、粘土、有機バインダーおよび水の混練物を成形、乾燥して形成した平板状の固結体に、板厚方向の通気穴を分散して設けたフィルター本体と、通気窓付きの２枚の側板の間に、通気性のクッション材を介在させて挟んで保持してなり、ファンヒータの吸気口に嵌着された脱臭フィルターを具備し、
前記２枚の側板は、突き合わせ又は嵌め合いによりケースとなる縁筒部を有し、前記通気窓は複数が列設されるとともに、各通気窓には金網が張られており、前記通気窓間の側板の内壁面には、仕切り壁が設けられており、
前記ファンヒータは、前面の下部に横長の吹出口が設けられて背面の中間部に前記吸気口が形成されたケーシングと、該ケーシング内の中間部に設けられたバーナと、該バーナの下方に横置きに設定された横長の遠心式ファンと、前記吸気口に取り付けられた空気清浄枠とを備え、
前記空気清浄枠には、該空気清浄枠の全面を覆うメッシュフィルターと、前記空気清浄枠の下側部の略２／３の面を覆う静電式集塵機とを有し、前記脱臭フィルターは前記空気清浄枠の下側部の略１／３の面を覆うことを特徴とする脱臭フィルター付きファンヒータ。
【請求項３】
アナターゼ型酸化チタン、活性炭、粘土、有機バインダーおよび水の混練物を成形、乾燥して形成した平板状の固結体に、板厚方向の通気穴を分散して設けたフィルター本体と、通気窓付きの２枚の側板の間に、通気性のクッション材を介在させて挟んで保持してなり、ファンヒータの吸気口に嵌着された脱臭フィルターを具備し、
前記フィルター本体は、前記固結体に直径１．０ｍｍ〜２．０ｍｍの円穴を、該直径の２±０．５倍の間隔で格子状、千鳥格子状または正三角形状に形成し、
前記ファンヒータは、前面の下部に横長の吹出口が設けられて背面の中間部に前記吸気口が形成されたケーシングと、該ケーシング内の中間部に設けられたバーナと、該バーナの下方に横置きに設定された横長の遠心式ファンと、前記吸気口に取り付けられた空気清浄枠とを備え、
前記空気清浄枠には、該空気清浄枠の全面を覆うメッシュフィルターと、前記空気清浄枠の下側部の略２／３の面を覆う静電式集塵機とを有し、前記脱臭フィルターは前記空気清浄枠の下側部の略１／３の面を覆うことを特徴とする脱臭フィルター付きファンヒータ。
【請求項４】
請求項１ないし請求項３のいずれかに記載の脱臭フィルター付きファンヒータにおいて、前記空気清浄枠の内側部に前記静電式集塵機を配し、前記空気清浄枠の外側部に前記メッシュフィルターを着脱自在に取り付け、前記空気清浄枠内の前記静電式集塵機と前記メッシュフィルターとの間に前記脱臭フィルターを着脱可能に装着したことを特徴とする脱臭フィルター付きファンヒータ。
【発明の詳細な説明】
【０００１】
【発明の属する技術分野】
この発明は、光触媒を使用した脱臭フィルターをファンヒータに装着した構造の脱臭フィルター付きファンヒータに関する。
【０００２】
【従来の技術】
ガス、石油などを燃焼させるか又は電熱式ヒータで加熱した空気を送風機により吹き出させるファンヒータは、空気吸込口にメッシュフィルターまたは静電式集塵フィルターを装着している。また、室内の臭気を除去するために、酸化チタンの光触媒反応を利用して、活性炭、無機繊維、パルプなどに光触媒を担持させたペーパーをハニカム状に形成した光触媒式の脱臭フィルターを空気吸込口に設置することが実施されている。
【０００３】
【発明が解決しようとする課題】
しかるに、従来の光触媒式の脱臭フィルターは、担体がペーパーであるため機械的強度が弱く、かつ耐熱耐久性が低いため、たびたび交換する必要がある。
この発明の目的は、機械的強度が大きく、かつ耐熱耐久性に優れ、長期間交換不要となるファンヒータ用脱臭フィルターおよび該脱臭フィルターを装着したファンヒータの提供にある。
【０００４】
【課題を解決するための手段】
この発明の脱臭フィルター付きファンヒータは、アナターゼ型酸化チタン、活性炭、粘土、有機バインダーおよび水の混練物を成形、乾燥して形成した平板状の固結体に、板厚方向の通気穴を分散して設けたフィルター本体と、通気窓付きの２枚の側板の間に、通気性のクッション材を介在させて挟んで保持してなり、ファンヒータの吸気口に嵌着された脱臭フィルターを具備する。
ファンヒータは、前面の下部に横長の吹出口が設けられて背面の中間部に吸気口が形成されたケーシングと、該ケーシング内の中間部に設けられたバーナと、該バーナの下方に横置きに設定された横長の遠心式ファンと、吸気口に取り付けられた空気清浄枠とを備えている。
空気清浄枠には、該空気清浄枠の全面を覆うメッシュフィルターと、空気清浄枠の下側部の略２／３の面を覆う静電式集塵機とを有し、脱臭フィルターは空気清浄枠の下側部の略１／３の面を覆う。
【０００５】
【発明の効果】
この発明の脱臭フィルター付きファンヒータでは、フィルター本体が平板状に固結されているため機械強度が高く、ペーパーを使用していないため耐熱・耐久性に優れる。また、通気窓を有する２枚の側板の間に通気性のクッション材を介して保持しているため耐振性に優れる。この結果、長期間にわたって継続使用することができるとともに、維持コストの低減化を図ることができる。
さらに、ファンヒータは、前面の下部に横長な吹出口が設けられて背面の中間部に吸気口が形成されたケーシングと、該ケーシング内の中間部に設けられたバーナと、該バーナの下方に横置きに設定された横長の遠心式ファンと、吸気口に取り付けられた空気清浄枠とを備えている。空気清浄枠には、該空気清浄枠の全面を覆うメッシュフィルターと、空気清浄枠の下側部の略２／３の面を覆う静電式集塵機とを有し、脱臭フィルターは空気清浄枠の下側部の略１／３の面を覆う。この構成により、吸気口の全面から均等に室内空気を吸入できるとともに、メッシュフィルターによる埃の除去、静電式集塵機による集塵および脱臭フィルターによる脱臭を効率的に行うことができて、埃や花粉などの比較的大きい粒子から煙草の煙などの小さな粒子までの捕集と、臭いの除去が可能となる。
【０００６】
請求項２の構成では、前段は請求項１と同一内容であるため、長期間にわたって継続使用することができるとともに、維持コストの低減化を図ることができる。
また、２枚の側板は、突き合わせ又は嵌め合いによりケースとなる縁筒部を有し、通気窓は複数が列設されるとともに、各通気窓には金網が張られており、通気窓間の側板の内壁面には、仕切り壁が設けられている。この構成では、脱臭フィルターを着脱の容易なカートリッジにして、光触媒を再生・再使用する場合に有利である。請求項２の他の構成は、請求項１と同一内容であるため、請求項１と同様な効果が得られる。
【０００７】
請求項３の構成では、前段は請求項１と同一内容であるため、長期間にわたって継続使用することができるとともに、維持コストの低減化を図ることができる。
また、前記フィルター本体は、前記固結体に直径１．０ｍｍ〜２．０ｍｍの円穴を、該直径の２±０．５倍の間隔で格子状、千鳥格子状または正三角形状に形成している。これにより、機械的強度の増大と通気抵抗の低減化に有効となる。通気性のクッション材にエステル系の発砲ウレタンシートを使用すると、三次元骨格の網構造になるため通気性に優れ、埃による目詰まりが生じにくいとともに、脱臭性能に影響を与えず、光触媒の再生に便利であるなどの利点がある。請求項３の他の構成は、請求項１と同一内容であるため、請求項１と同様な効果が得られる。
【００１０】
請求項４に記載の構成では、頻繁に清掃が必要なメッシュフィルターを空気清浄枠の外側に配し、定期的に取り外して再生することが必要な脱臭フィルターを中間に取り付け、修理または保管のための清掃など以外に触れることのない静電式集塵機を最も奥に配置しているので、使用性を向上させることができる。
【００１１】
【発明の実施の形態】
図１〜３は、この発明にかかるファンヒータ用脱臭フィルター１を示し、四角形の平板状を呈するフィルター本体２を、通気窓３０付き内側板３および通気窓４０付き外側板４の間に、通気性の内側クッション材５および外側クッション材５１を介在させて挟んで保持した構造を有する。
【００１２】
フィルター本体２は、図４に示す如く、アナターゼ型酸化チタン、活性炭、粘土、有機バインダーおよび水の混練物を成形、乾燥して形成した平板状固結体に、板厚方向の通気穴２１を分散、形成してなる。この実施例では、フィルター本体２は、一辺が６０ｍｍの正方形で厚さが６ｍｍの平板に、直径１ｍｍの円形通気穴２１を千鳥格子状に２ｍｍの間隔で、幅３ｍｍの縁部を除く全面に設けてなる。
【００１３】
通気穴２１は、円形で直径が１．０ｍｍ〜２．０ｍｍの範囲、形成のパターンは格子状、千鳥格子状または正三角形状、間隔は直径の２±０．５倍であることが、通気性の確保と機械的強度の維持および耐久性、並び生産性の観点から望ましい。なお、フィルター本体２の縁部を補強し、破損を防止する観点から、通気穴を形成しない縁部の幅は、通気穴の直径の２〜４倍であることが望ましい。また、通気穴の形状は、円穴以外に、脱臭能力に関わる表面積や圧力損失に影響がないものであれば多角形、楕円形、その他であってもよい。
【００１４】
内側板３は、樹脂で一体成形され、７２×２０２ｍｍの長方形の側板部３１と、該側板部３１の外周から外方に直交的に延設された縁筒部３２とからなる。縁筒部３２の外周には、中間位置に凸条３３が周設されており、凸条３３の一部は大きく突設されて上下各２か所の係止爪３４となっている。縁筒部３２の凸条３３の内側部には、所定位置に係合スリット３５が形成されている。
【００１５】
側板部３１には、一辺が５５ｍｍの正方形の通気窓３０が長手方向に３個並んで開けられており、各通気窓３０にはリブ３６が十字形に一体成形されている。側板部３１の裏面には全面に金網３７が張られて全ての通気窓３０を通気自在に塞いでいる。なお、リブ３６を多数形成して格子を設け、金網３７を省略してもよく、樹脂製の網を使用してもよい。
【００１６】
外側板４は、樹脂で一体成形され、長方形の側板部４１と、該側板部４１の外周から内方に直交的に延設された縁筒部４２とからなる。縁筒部４２の先端の外周には、係合スリット３５に係合する係合突起４３が形成されている。側板部４１には、一辺が５５ｍｍの正方形の通気窓４０が、通気窓３０に対応して長手方向に３個列設して開けられており、各通気窓４０にはリブ４４が十字形に一体成形されている。
【００１７】
通気窓４０、４０の間の側板部４１の内壁には、上下方向の隔壁４５、４５が一体形成され、縁筒部４２と隔壁４５または隔壁４５と隔壁４５とで囲まれた３つの区隔４Ａ〜４Ｃを形成している。各区隔４Ａ〜４Ｃの側板部４１の裏面にはそれぞれ金網４６が張られて各通気窓４０を塞いでいる。なお、リブ４４を多数形成して、金網４６を省略してもよい。
【００１８】
内側板３および外側板４は、縁筒部３２内に縁筒部４２が印籠嵌合されて、矩形で偏平なケースとなっている。ケース内の各通気窓３０、４０の位置には、フィルター本体２が配置され、フィルター本体２と金網３７、４６との間には、厚さ５．０ｍｍのエステル系の発泡ウレタンシート製で通気性のクッション材５、５１が介装されている。内側のクッション材５は、側板部３１の内壁面に対応した長方形を呈している。外側のクッション材５１は、隔壁４５で仕切られた側板部４１の内壁面より大きく形成され、縁部５２が折れ曲がることで、フィルター本体２の外周面と、縁筒部４２の内壁または隔壁４５との間に挟み込まれている。縁部５２は、垂直面内でフィルター本体２のクッションとなっている。
【００１９】
この構成では、フィルター本体２にペーパーを担体として使用しておらず、アナターゼ型酸化チタン、活性炭、粘度、有機バインダーの固結体を使用しているため、機械的強度が高く耐熱性に優れる。また、金網３７、４６の間にエステル系発泡ウレタンシート製のクッション材５、５１を介してフィルター本体２を保持しているため、フィルター本体２に強い振動または集中応力が加わることが有効に防止できる。さらに、内側板３および外側板４は、縁筒部３２内に縁筒部４２が印籠嵌合されて、矩形で偏平なケースとなっており、脱臭フィルター１がカートリッジとなっているため、光触媒の再生などのために取外したり、装着する作業が容易にできる。
【００２０】
図５、図６は脱臭フィルター１を吸気口に装着したファンヒータ６を示し、奥行きが偏平な鉄板製のケーシング６１の内部に横長のガスバーナ６２を水平的に配している。ガスバーナ６２の下方には筒状の遠心式ファン６３が横に設置されており、ケーシング６１の前面の下部には、横長の吹出口６４が設けられている。ケーシング６１の背面には、中間部および上部の、やや左寄りに開口した吸気口６５が矩形状に設けられており、該吸気口６５には、矩形筒状の空気清浄枠７が連結されている。
【００２１】
空気清浄枠７は、前側（ケーシング６１側）７１が吸気口６５を囲んでケーシング６１の背面に連結されている。空気清浄枠７の後側（外側）面７２に、空気中の埃の内の比較的大きいものを除去するためのメッシュフィルター７３が全面を塞いで着脱自在に装着されている。空気清浄枠７の前側部には、メッシュフィルター７３の下部のほぼ２／３の面積に相当する吸入空気の流路面積に、静電式集塵機７４が装着されている。メッシュフィルター７３と静電式集塵機７４との間には、メッシュフィルター７３の下部の略１／３の面積に相当する吸入空気の流路面積に脱臭フィルター１が装着されている。
【００２２】
このファンヒータ６は、ファン６３に誘導され吸気口６５から吸い込まれる空気が脱臭フィルター１内を通過する際に脱臭される。この際にファン６３による吸引力が大きい吸気口６５の下部の約１／３に脱臭フィルター１を配し、吸引力が中程度の吸気口６５の中部の約２／３に静電式集塵機７４を配している。このため、吸気口６５からケーシング６１内に吸引される空気が均一化できる。
【００２３】
また、主に空気清浄枠７の中間部を通過しガスバーナ６２に供給される燃焼用空気、主に空気清浄枠７の上部を通過する器具を冷却するための空気、および主に空気清浄枠７の下部を通過し遠心式ファン６３によって部屋に対流を生じさせるための空気をバランス良く分布させることが可能になる。
【図面の簡単な説明】
【図１】脱臭フィルターの正面図である。
【図２】脱臭フィルターの平面図である。
【図３】脱臭フィルターの側面断面図である。
【図４】フィルター本体の斜視図である。
【図５】ファンヒーターの側面断面図である。
【図６】ファンヒーターの背面の斜視図である。
【符号の説明】
１    脱臭フィルター
２    フィルター本体
３    内側板
４    外側板
５、５１  クッション材
６    ファンヒータ
７    空気清浄枠
２１  通気穴
３０、４０  通気窓
３２、４２  縁筒部
３７、４６  金網
６１  ケーシング
６２  ガスバーナ
６３  遠心式ファン
６４  吹出口
６５  吸気口
７３  メッシュフィルター
７４  静電式集塵機
【図１】
0003601659.tif 000002
【図２】
0003601659.tif 000003
【図３】
0003601659.tif 000004
【図４】
0003601659.tif 000005
【図５】
0003601659.tif 000006
【図６】
0003601659.tif 000007